(57)【特許請求の範囲】
【請求項１】
住戸インターホンと、ロビーインターホンと、住戸人の帰宅を認証する認証装置とを備え、住戸人の帰宅を認証装置によって認証すると、該住戸人に対して予め準備したメッセージをロビーインターホンに表示する機能を有した集合住宅用インターホンシステムにおいて、
ロビーインターホンでの表示言語の種別を住戸毎に登録する言語種別登録部と、
ロビーインターホンで表示すべきメッセージを表示言語の種別毎に予め記憶させたメッセージ記憶部とを備え、
住戸インターホンは、表示言語の種別を選択するための言語操作部を備え、選択された種別を前記言語種別登録部に登録する一方、
ロビーインターホンは、認証装置が住戸人の帰宅を認証すると、前記言語種別登録部に登録されている種別の表示言語によるメッセージを、前記メッセージ記憶部から読み出して表示する集合住宅用インターホンシステム。
【請求項２】
請求項１において、
住戸インターホンは、前記言語操作部で選択された種別の表示言語によって、モニタ画面の各種表示を行う集合住宅用インターホンシステム。
【請求項３】
請求項１または２において、
住戸インターホンと、ロビーインターホンとの呼出、通話を制御する制御装置を更に備え、
前記言語種別登録部、前記メッセージ記憶部は制御装置に設けられている集合住宅用インターホンシステム。
【請求項４】
請求項１または２において、
住戸インターホンと、ロビーインターホンとの呼出、通話を制御する制御装置を更に備え、
前記言語種別登録部は制御装置に設けられ、
前記メッセージ記憶部はロビーインターホンに設けられている集合住宅用インターホンシステム。
【請求項５】
請求項１または２において、
前記言語種別登録部、前記メッセージ記憶部はロビーインターホンに設けられている集合住宅用インターホンシステム。
【請求項６】
請求項１〜５のいずれかにおいて、
ロビーインターホンで表示すべきメッセージは、宅配ボックスの着荷情報を含んでいる集合住宅用インターホンシステム。
【発明の詳細な説明】
【技術分野】
【０００１】
本発明は、住戸インターホンと、ロビーインターホンと、住戸人を認証する認証装置とを備え、住戸人の帰宅を認証装置によって認証すると、メッセージをロビーインターホンに表示する機能を有した集合住宅用インターホンシステムの改良に関する。
【背景技術】
【０００２】
近年、マンションなどの集合住宅では、住戸毎に宅配荷物を受け入れる宅配ボックスを住棟ロビーに設置している。そのようなものでは、何らかの方法で住戸人に着荷を自動的に通知できると便利である。
【０００３】
そのような従来技術の例として、引用文献１には、集合住宅の玄関ホールに住人宛の宅配物を受け取る複数個の宅配ボックスを配置し、各住戸機に着荷を通知する一方、電子メールによって携帯電話機などに着荷を通知し、またロビーインターホンで住戸人の認証媒体が認証されると、認証された住人が使用するボックスの設置場所へ誘導する照明装置が点灯する構成が開示されている。
【先行技術文献】
【特許文献】
【０００４】
【特許文献１】特開2009-273934号公報
【発明の概要】
【発明が解決しようとする課題】
【０００５】
特許文献１の構成では、帰宅した住戸人に着荷を通知するために、ボックスの設置場所へ誘導する照明装置を点灯させているが、ロビーインターホンに着荷を知らせるメッセージを表示するとより親切なシステムになる。しかしながら、近年集合住宅に外国人が入居することもあり、外国人では、日本語によるメッセージを表示しても意味がわからないということも考えられる。
【０００６】
そこで本発明は、ロビーインターホンで、外国人の住戸人でも読み取れるようにメッセージの表示言語を変更して表示するようにした集合住宅用インターホンシステムを提供することを目的とする。
【課題を解決するための手段】
【０００７】
本発明は、住戸インターホンと、ロビーインターホンと、住戸人の帰宅を認証する認証装置とを備え、住戸人の帰宅を認証装置によって認証すると、該住戸人に対して予め準備したメッセージをロビーインターホンに表示する機能を有した集合住宅用インターホンシステムにおいて、ロビーインターホンでの表示言語の種別を住戸毎に登録する言語種別登録部と、ロビーインターホンで表示すべきメッセージを表示言語の種別毎に予め記憶させたメッセージ記憶部とを備え、住戸インターホンは、表示言語の種別を選択するための言語操作部を備え、選択された種別を前記言語種別登録部に登録する一方、ロビーインターホンは、認証装置が住戸人の帰宅を認証すると、前記言語種別登録部に登録されている種別の表示言語によるメッセージを、前記メッセージ記憶部から読み出して表示することを特徴とする。
【０００８】
住戸インターホンは、前記言語操作部で選択された種別の表示言語によって、モニタ画面の各種表示を行うとよい。
【０００９】
住戸インターホンと、ロビーインターホンとの呼出、通話を制御する制御装置を更に備え、前記言語種別登録部、前記メッセージ記憶部は制御装置に設けてもよい。
【００１０】
住戸インターホンと、ロビーインターホンとの呼出、通話を制御する制御装置を更に備え、前記言語種別登録部は制御装置に設け、前記メッセージ記憶部はロビーインターホンに設けてもよい。
【００１１】
前記言語種別登録部、前記メッセージ記憶部はロビーインターホンに設けてもよい。
【００１２】
ロビーインターホンで表示すべきメッセージには、宅配ボックスの着荷情報を含ませるとよい。
【発明の効果】
【００１３】
本発明では、集合住宅において、帰宅した住戸人を認証したときに、その住戸人に対してロビーインターホンからメッセージを表示する際に、住戸インターホンで住戸人が予め選択しておいた言語によるメッセージを表示する構成にしている。したがって住戸人が外国人であっても、英語などの言語を選択しておけば、ロビーインターホンでは、その住戸人に対しては英語によるメッセージが表示されるので、その内容が容易に理解できるようになる。
【００１４】
また、住戸インターホンのモニタ画面における表示言語を選択すれば、ロビーインターホンでもその言語によるメッセージが表示されるので、違和感を感じさせることもない。
【図面の簡単な説明】
【００１５】
【図１】本発明によるインターホンシステムのブロック図である。
【図２】（ａ）、（ｂ）は、それぞれ日本語、英語を表示言語としたときの住戸インターホンの表示例である。
【図３】言語選択画面の例である。
【図４】（ａ）、（ｂ）は、それぞれ日本語、英語を表示言語としたときのロビーインターホンの表示例である。
【図５】インターホンシステムの基本動作を説明するためのフロー図である。
【発明を実施するための形態】
【００１６】
本発明のインターホンシステム１は、図１に示すように、住戸インターホン１１と、ロビーインターホン１２とをインターホン回線１８で接続し、住戸人の帰宅を認証する認証装置１６を備えた基本構成を有し、帰宅した住戸人を認証装置１６によって認証すると、その住戸人に対するメッセージをロビーインターホン１２に表示する機能を有している。
【００１７】
またインターホンシステム１は、管理人室機１３、住戸インターホン１１とロビーインターホン１２との呼出、通話を制御する制御装置１４、宅配荷物を収容する宅配ボックス１５、帰宅した居住者を認証する認証装置１６、住戸インターホン１１を広域ネットワーク２０上のウェブサーバ装置２１などに接続するゲートウェイ装置１７などを備えている。
【００１８】
ここに住戸インターホン１１は、住宅情報盤として構成されており、ドアホン１１ａ以外にもセキュリティセンサ（図示なし）などが接続されている。そして基本的な構成要素として、図２（ａ）、図２（ｂ）に示すように、タッチパネルで構成されたモニタ画面１１ｂ、メッセージランプ１１ｃ、通話キー１１ｄ、通話部を形成するスピーカ１１ｅ、マイク１１ｆなどを備えている。
【００１９】
モニタ画面１１ｂは、各種画面、例えば呼出画面、セキュリティ画面、生活情報画面などを切替表示するが、特に本発明ではそれらの画面における表示言語として、住戸人によって所望の言語が選択できるようになっている。そのため住戸インターホン１１は、言語操作部１１ｇを備えており、そこで表示言語が選択されると、モニタ画面１１ｂには選択された表示言語で記載された各種画面が表示される。
【００２０】
例えば図２（ａ）は、表示言語として日本語が選択されているときの待機画面の例であり、図２（ｂ）は、表示言語として英語が選択されているときの待機画面の例である。この両者では、画面構成は共通しているが、文字表示の部分が、それぞれ選択された表示言語のものになっている。なお、選択可能な表示言語は、３言語以上あってもよい。
【００２１】
図２（ａ）、図２（ｂ）の待機画面にはいずれも現在時刻と、動作モードと、複数の操作キーとが配置されている。「在宅中」あるいは「at home」の文字は、動作モードとして、現在のセキュリティが警戒解除モードであることを示している。
【００２２】
「警報」あるいは「security」キーは、セキュリティセンサが異常を検知したときなどに表示色が切替わり、タッチ操作すれば、詳細なセキュリティ画面がポップアップ表示される。「お知らせ」あるいは「information」キーは、生活情報などのメッセージが送信されてくると表示色が切替わり、タッチ操作すれば、お知らせ画面がポップアップ表示される。「外出」あるいは「go out」キーはセキュリティを警戒モードにするためのキー、「在宅」あるいは「at home」はセキュリティを警戒解除モードにするためのキーである。「設定」あるいは「setting」キーは、住戸インターホン１１の機能設定画面をポップアップ表示させるためのキーである。
【００２３】
図３は、表示言語として日本語が選択されている場合に、「設定」キーのタッチ操作によって呼び出される設定画面の例である。設定画面は、「言語」、「表示」などの複数のタブによって切替えられる複数の画面からなっており、その中の「言語」画面によって表示言語が選択操作できるようになっている。つまり、この「言語」画面によって言語操作部１１ｇが構成されている。ここで日本または英語を選択操作して「OK」キーをタッチ操作すれば、選択した方の言語が表示言語として設定される。なお表示言語の設定情報は、住戸インターホン１１に登録されるが、後述するように、制御装置１４の言語登録部にも登録されるようになっている。
【００２４】
また住戸インターホン１１は、広域ネットワーク２０上のウェブサーバ装置２１に接続して生活情報画面をダウンロードするブラウザ部１１ｈも備えている。この生活情報画面も、選択した表示言語によって表示するとよい。
【００２５】
ロビーインターホン１２は、図４（ａ）、図４（ｂ）に示すように、部屋番号などを表示する表示窓１２ｂ、部屋番号を指定したり呼出操作したりするための操作部１２ｃや、通話部を構成するスピーカ１２ｅ、マイク１２ｆ、来客を撮影するカメラ１２ａなどを備えている。また、住戸人を認証装置１６によって認証したときに表示すべきメッセージを予め記憶させたメッセージ記憶部１２ｇも備えている。ここでは表示すべきメッセージとして、宅配ボックス１５の着荷情報を想定しているが、もちろんこれ以外のメッセージ、例えば会議室の予約情報などであってもよい。
【００２６】
メッセージ記憶部１２ｇには、必要とされる各メッセージを、住戸インターホン１１で選択可能な表示言語毎に予め記憶させておくとよい。例えば「宅配便がきています。」や「Baggage for you is reached」などである。図４（ａ）には、日本語によるメッセージが表示された状態、図４（ｂ）には英語によるメッセージが表示された状態を示している。
【００２７】
またロビーインターホン１２には、認証装置１６に接続される認証操作部１６ａを一体あるいは別体として付設しておくとよい。この場合、認証装置１６による認証が成功すれば、ロビー扉（図示なし）が自動的に解錠する。なお図ではロビーインターホン１２は１台であるが、住戸数に応じて複数台のロビーインターホン１２を設けることが望ましい。
【００２８】
管理人室機１３は、警報監視盤として構成されており、異常発生時に点灯する警報ランプ、タッチパネルで構成されたモニタ画面、部屋番号を入力するテンキーやメニューキーで構成された操作部、通話部となるハンドセット、警報を出力するスピーカ（いずれも図示なし）などを備えている。
【００２９】
制御装置１４は、住戸インターホン１１と、ロビーインターホン１２あるいは管理人室機１３との信号伝送を制御する装置であって、住戸インターホン１１、ロビーインターホン１２、管理人室機１３は、この装置に接続されている。また制御装置１４には、住戸インターホン１１毎に住戸人によって選択された表示言語の種別が登録される言語種別登録部１４ａが設けられている。
【００３０】
宅配ボックス１５は、部屋毎の宅配荷受箱を棚状に並べたもので、各荷受箱には着荷を検出する検知手段（図示なし）が設けられており、部屋番号を付加した着荷情報を制御装置１４に送信する。
【００３１】
認証装置１６は、非接触式カードキーなどの認証媒体から読み取った認証情報と、登録されている認証情報とを対照して居住者を認証する装置であり、認証が成功したときには、認証操作部１６ａに対応した扉を開錠するようになっている。例えばロビーインターホン１２に付設されている認証操作部１６ａの場合はロビー扉を開錠するが、駐車場に設置されている認証操作部１６ａの場合は、駐車場通用扉（図示なし）を開錠する。
【００３２】
住戸インターホン１１と制御装置１４はデジタル式のインターホン回線１７によって接続されており、そこでは送信先、送信元のアドレスを指定したデジタル信号伝送が行われる。プロトコルの物理レイヤは任意であるが、本発明のためには論理レイヤでＴＣＰ／ＩＰを利用できるとよい。この場合、住戸インターホン１１のそれぞれには、固有のグローバルＩＰアドレスあるいはローカルＩＰアドレスが割り当てられる。また、制御装置１４とロビーインターホン１２あるいは管理人室機１３との信号伝送も同様である。なおインターホン回線１７は、一般的なツイストペアケーブルを用いればよいが、専用ケーブルを用いてもよい。
【００３３】
なお、上記の構成では、言語種別登録部１４ａは制御装置１４に設け、メッセージ記憶部１２ｇはロビーインターホン１２に設けているが、これに限定されず、他の構成も可能である。例えば、言語種別登録部１４ａ、メッセージ記憶部１２ｇの両方を制御装置１４に設けてもよい。その両方をロビーインターホン１２に設けてもよい。このような簡単な変形は、いずれも本発明の開示に含まれる。
【００３４】
次いで、インターホンシステム１の基本動作を説明する。
【００３５】
インターホンシステム１における呼出、通信制御の基本機能、動作は従来システムと同様である。すなわちロビーインターホン１２で住戸番号を指定した呼出操作がなされると、制御装置１４によって、指定された住戸の住戸インターホン１１が呼び出される。呼び出された住戸インターホン１１は、チャイム音によって呼出報知する。そして住戸インターホン１１で通話キー１１ｄが操作されると、制御装置１４は、住戸インターホン１１とロビーインターホン１２との間に排他的な通話チャンネルを構成して、通話信号の伝送を許可する。なお、ロビーインターホン１２が複数ある場合は、それぞれの通話チャンネルは排他的に制御される。
【００３６】
更にロビーインターホン１２で呼出操作がなされてから通話チャンネルが解放されるまでの間、ロビーインターホン１２のカメラ１２ｅが撮影した映像を住戸インターホン１１で表示するため、排他的な映像チャンネルが構成されて、ロビーインターホン１２から映像信号が伝送される。このようにすれば、訪問者の映像を住戸インターホン１１でモニタしながら対応できる。
【００３７】
また、インターホンシステム１は、警報監視システムとしても機能しており、その動作も従来と同様である。すなわち、住戸インターホン１１は、セキュリティセンサが異常発生を検知すると、モニタ画面１１ｂに警報画面を表示すると共に、スピーカ１１ｅから警報メッセージを出力する。また、住戸インターホン１１は、異常発生を管理人室機１３に通知する。管理人室機１３は、その通知を受信すると、警報を出力する。その後、管理人の操作に応じて、異常発生を通知してきた住戸インターホン１１や、その近隣の住戸インターホン１１から、避難メッセージなどを出力させることもできる。また、防災センターなどに異常発生を移報することもできる。
【００３８】
本発明の特徴的な構成として、住戸インターホン１１は、言語操作部１１ｇで選択された表示言語を自機に登録すると共に、制御装置１４の言語種別登録部１４ａにも登録し、ロビーインターホン１２は、認証装置１６が住戸人を認証すると、言語種別登録部１４ａの登録された表示言語によるメッセージを、メッセージ記憶部１２ｇから読み出して表示するようになっている。
【００３９】
より具体的には、住戸インターホン１１で表示言語が選択されると、住戸インターホン１１は、その言語種別を自機に登録すると共に、制御装置１４の言語種別登録部１４ａにも登録する。言語種別登録部１４ａでは、部屋番号に対応させて言語種別が登録される。
【００４０】
そしてある住戸人宛ての宅配荷物が宅配ボックス１５に収容されると、宅配ボックス１５はそれを自動的に検出して、部屋番号が付加された着荷情報を制御装置１４に送信する。すると制御装置１４はその情報を記録すると共に、その部屋番号で特定される住戸インターホン１１にも送信し、これを受けた住戸インターホン１１は、モニタ画面１１ｂに着荷情報を表示して報知する。その表示は、もちろん選択している表示言語によってなされる。
【００４１】
その後、帰宅した住戸人が認証操作部１６ａを操作して認証装置１６がその住戸人を認証すると、部屋番号を付加した認証情報を制御装置１４に送信する。これを受けた制御装置１４は、その部屋番号に対応した着荷情報を、それまでに宅配ボックス１５から受信しているか否か判断する。ここで着荷情報を受信済みであれば、言語種別登録部１４ａを参照して部屋番号に対応した言語種別を特定し、言語種別を付加した着荷情報をロビーインターホン１２に送信する。これを受けたロビーインターホン１２は、その表示言語による着荷情報をメッセージとして表示窓１２ｂに表示して報知する。
【００４２】
このように本発明では、認証装置１６によって住戸人の帰宅を認証すれば、その住戸人に対してロビーインターホン１２からメッセージを表示するが、その際に、住戸インターホン１１のために予め選択しておいた言語によるメッセージを表示する。したがって住戸人が外国人であっても、英語などの言語を選択しておけば、ロビーインターホン１２では、その住戸人に対しては英語によるメッセージが表示されるので、その内容が容易に理解できる。
また、住戸インターホン１１における表示言語と、ロビーインターホン１２が帰宅した住戸人に対して表示するメッセージの表示言語が同じ種別になるので、表示言語として日本語を選択した住戸人にも、英語を選択した住戸人にも違和感を感じさない。
【００４３】
図５は、インターホンシステム１の上記基本動作を示したフロー図である。図中、時刻Ｔ１では、住戸インターホン１１で表示言語が選択され、時刻Ｔ２では、その言語種別が制御装置１４に登録されている。
【００４４】
時刻Ｔ３では、宅配ボックス１５が着荷を検出して、着荷情報が制御装置１４に送信され、時刻Ｔ４では、その着荷情報が制御装置１４に記録され、更に住戸インターホン１１にも送信されている。これを受けた住戸インターホン１１は、時刻Ｔ５で、選択された表示言語によって着荷を報知している。
【００４５】
時刻Ｔ６では、帰宅した住戸人を認証装置１６が認証して、その認証情報が制御装置１４に送信され、時刻Ｔ７では、制御装置１４は、認証情報に付加されている部屋番号に基づいて、既に記録済みの着荷情報を検索し、更にその部屋番号に対応した言語種別を特定している。そして制御装置１４からロビーインターホン１２に、言語種別を付加した着荷情報を送信している。これを受けたロビーインターホン１２は、時刻Ｔ８で、その言語種別で指定された表示言語によって着荷を報知している。
【符号の説明】
【００４６】
１      インターホンシステム
１１      住戸インターホン
１１ｇ    言語操作部
１２      ロビーインターホン
１２ｇ    メッセージ記憶部
１４      制御装置
１４ａ    言語種別登録部
【図１】
0005587813.tif 000002
【図２】
0005587813.tif 000003
【図３】
0005587813.tif 000004
【図４】
0005587813.tif 000005
【図５】
0005587813.tif 000006